(57)【要約】  本発明はプロジェクタの自動ドア装置を提供する。本発明のプロジェクタは熱を外部に排出するための排熱口を有する外装ケースを備える。前記プロジェクタの自動ドア装置は前記排熱口の周囲に配置されるように前記外装ケースに設けられるフレームと、前記排熱口を開閉するように前記フレームの第１方向に沿って往復移動自在な状態に設けられるドアアセンブリと、前記外装ケースに内蔵され、前記第１方向に沿って前記ドアアセンブリを移動させる駆動ユニットを含み、前記駆動ユニットは前記プロジェクタの第１作動モードに応答して前記排熱口を開放するように前記ドアアセンブリを前記第１方向に沿って第１位置から第２位置に移動させ、前記プロジェクタの第２作動モードに応答して前記排熱口を閉鎖するように前記ドアアセンブリを前記第１方向に沿って前記第２位置から前記第１位置に移動させることを特徴とする。
2008542813.tif 000002
【特許請求の範囲】
【請求項１】
排熱口が備えられた外装ケースを有するプロジェクタの自動ドア装置において、
前記排熱口の周囲に配置されるように前記外装ケースに設けられるフレームと、
前記排熱口を開閉するように前記フレームの第１方向に沿って往復移動自在に設けられるドアアセンブリと、 
前記外装ケースに内蔵され、前記第１方向に沿って前記ドアアセンブリを移動させる駆動ユニットと、を備え、
前記駆動ユニットは前記プロジェクタの第１作動モードに応答して前記排熱口を開放するように前記ドアアセンブリを前記第１方向に沿って第１位置から第２位置に移動させ、前記プロジェクタの第２作動モードに応答して前記排熱口を閉鎖するように前記ドアアセンブリを前記第１方向に沿って前記第２位置から前記第１位置に移動させることを特徴とするプロジェクタの自動ドア装置。
【請求項２】
前記第１作動モードは前記プロジェクタのオン作動モードであり、前記第２作動モードは前記プロジェクタのオフ作動モードであり、
前記駆動ユニットは前記プロジェクタのオン作動モード時に前記排熱口を開放させて熱を排出するように前記ドアアセンブリを前記第１方向に沿って移動させ、前記プロジェクタのオフ作動モード時には前記排熱口を閉鎖するように前記ドアアセンブリを前記第１方向に沿って移動させることを特徴とする請求項１に記載のプロジェクタの自動ドア装置。
【請求項３】
前記プロジェクタのオン作動モード時に前記駆動ユニットは前記排熱口を開放させるように前記第１方向に沿って前記ドアアセンブリを移動させる前に、第２方向に沿って前記ドアアセンブリを初期位置から前記第１位置に移動させ、
前記プロジェクタのオフ作動モード時には前記駆動ユニットは前記排熱口を閉鎖するように前記ドアアセンブリを前記第１方向に沿って移動させた後に、前記第２方向に沿って前記ドアアセンブリを前記第１位置から前記初期位置に移動させることを特徴とする請求項２に記載のプロジェクタの自動ドア装置。
【請求項４】
前記フレームは、
前記第１方向に沿って互いに並行して配列された第１ガイドレール及び第２ガイドレールを含み、前記ドアアセンブリは前記第１及び第２ガイドレールに沿って前記第１方向に摺動できることを特徴とする請求項１に記載のプロジェクタの自動ドア装置。
【請求項５】
前記フレームは、
前記外装ケースの両反対側にそれぞれ装着されるガイドサッシとガイドブラケットを含み、前記第１ガイドレール及び前記第２ガイドレールは各々前記ガイドサッシと前記ガイドブラケットにそれぞれ位置することを特徴とする請求項４に記載のプロジェクタの自動ドア装置。
【請求項６】
前記ガイドサッシは前記排熱口と連通される開口部が形成された平板形ボディ及び該ボディの両遠位端にそれぞれ配置された折り曲げられた１対の側壁を有し、前記１対の側壁のうちいずれか一方に前記第１ガイドレールが設けられることを特徴とする請求項５に記載のプロジェクタの自動ドア装置。
【請求項７】
前記ドアアセンブリは、
前記フレームに設けられるドア部材と、
前記ドア部材を前記フレームに摺動自在な状態に結合させるためのスライド機構とを含むことを特徴とする請求項４に記載のプロジェクタの自動ドア装置。
【請求項８】
前記スライド機構は前記第１ガイドレール及び第２ガイドレールに各スライドシャフトの両端部が摺動可能な状態に結合されるように前記ドア部材の底面の上流側と下流側に各々設けられる１対のスライドシャフトを含むことを特徴とする請求項７に記載のプロジェクタの自動ドア装置。
【請求項９】
前記スライド機構は前記ドア部材が前記第１方向に移動する間、前記フレームと接触するように前記ドア部材の底面に設けられた複数のローラ部材をさらに含むことを特徴とする請求項８に記載のプロジェクタの自動ドア装置。
【請求項１０】
前記駆動ユニットは、
前記外装ケースに内蔵される駆動モータと、
前記駆動モータの出力軸に連結されたギアトレインと、
前記ギアトレインに連結されたピニオンと、
前記ピニオンに噛み合って前記ドアアセンブリが前記第１方向に直線往復移動するように前記ドアアセンブリに設けられるラック部材とを含むことを特徴とする請求項４に記載のプロジェクタの自動ドア装置。
【請求項１１】
前記ドアアセンブリは前記フレームに沿って第２方向に移動可能であり、前記駆動ユニットは前記第２方向に沿って前記ドアアセンブリを移動させるための昇降手段をさらに含むことを特徴とする請求項１に記載のプロジェクタの自動ドア装置。 
【請求項１２】
前記第１方向と前記第２方向とは互いに垂直をなすことを特徴とする請求項１１に記載のプロジェクタの自動ドア装置。
【請求項１３】
前記第１方向は水平方向であり、前記第２方向は鉛直方向であることを特徴とする請求項１２に記載のプロジェクタの自動ドア装置。
【請求項１４】
前記フレームは、前記第１方向に沿って互いに並行して配列された第１ガイドレールと第２ガイドレールを含み、前記ドアアセンブリは前記第１及び第２ガイドレールに沿って前記第１の方向に摺動可能であり、前記第１及び第２ガイドレールの各端部から第２方向に延びるスリットを含み、前記ドアアセンブリは前記第２方向に前記スリットに沿って摺動可能であることを特徴とする請求項１１に記載のプロジェクタの自動ドア装置。
【請求項１５】
前記昇降手段は、
前記駆動ユニットのラック部材と対面するように前記ドアアセンブリに設けられるカムブラケットと、前記ラック部材と前記カムブラケットに設けられた１対のカム溝とを含み、
前記ラック部材は前記ドアアセンブリを前記第１方向に往復移動させるために前記駆動ユニットのピニオンと係合するように前記ドアアセンブリに設けられ、
前記１対のカム溝は前記ドアアセンブリのスライドシャフトをカム従動するように拘束することによって、前記ドアアセンブリを前記第２方向に沿って移動させ、
前記スライドシャフトは前記ドアアセンブリの底面に設けられ、前記スライドシャフトの両遠位端が前記１対のカム溝を通り且つ前記スリットに沿って前記第２方向に摺動可能であることを特徴とする請求項１４に記載のプロジェクタの自動ドア装置。
【請求項１６】
前記排熱口は熱を上向きに排出するように前記外装ケースの上部に位置することを特徴とする請求項１に記載のプロジェクタの自動ドア装置。
【請求項１７】
前記外装ケースは壁掛け型やスタンド型に使用できるように枠付けされたパネル構造を有することを特徴とする請求項１に記載のプロジェクタの自動ドア装置。
【請求項１８】
プロジェクタの外部へ熱を排出するための排熱口を有する外装ケースと、
前記排熱口の周囲に配設されるフレームと、
前記排熱口を開閉するように前記フレームに沿って第１方向に往復移動可能に設けられるドアアセンブリと、 
前記ドアアセンブリを前記第１方向に沿って移動させるように前記外装ケースに内蔵される駆動ユニットを含み、
前記駆動ユニットは前記プロジェクタの第１作動モードに応答して前記排熱口を開放するように前記ドアアセンブリを前記第１方向に沿って第１位置から第２位置に移動させ、前記プロジェクタの第２作動モードに応答して前記排熱口を閉鎖するように前記ドアアセンブリを前記第１方向に沿って前記第２位置から前記第１位置に移動させることを特徴とするプロジェクタ。
【請求項１９】
前記第１作動モードは前記プロジェクタのオン作動モードであり、前記第２作動モードは前記プロジェクタのオフ作動モードであり、
前記駆動ユニットは前記プロジェクタのオン作動モード時に前記排熱口を開放させて熱を排出するように前記ドアアセンブリを前記第１方向に沿って移動させ、前記プロジェクタのオフ作動モード時には前記排熱口を閉鎖するように前記ドアアセンブリを前記第１方向に沿って移動させることを特徴とする請求項１８に記載のプロジェクタ。
【請求項２０】
前記駆動ユニットは前記プロジェクタのオン作動モード時に前記排熱口を開放させるように前記第１方向に沿って前記ドアアセンブリを移動させる前に、第２方向に沿って前記ドアアセンブリを初期位置から前記第１位置に移動させ、
前記駆動ユニットは前記プロジェクタのオフ作動モード時には前記排熱口を閉鎖するように前記ドアアセンブリを前記第１方向に沿って移動させた後に、前記第２方向に沿って前記ドアアセンブリを前記第１位置から前記初期位置に移動させることを特徴とする請求項１９に記載のプロジェクタ。
【請求項２１】
前記フレームは第１ガイドレール及び第２ガイドレールを含み、当該第１及び第２ガイドレールは、
前記第１方向に沿って互いに並行して配列され、前記ドアアセンブリは前記駆動ユニットによって前記第１の方向に前記第１及び第２ガイドレールに沿って摺動可能であることを特徴とする請求項２０に記載のプロジェクタ。
【請求項２２】
前記ドアアセンブリは前記第１及び第２ガイドレールに各スライドシャフトの両遠位端部が摺動自在に結合されるように前記ドアアセンブリの底面の上流側と下流側に各々設けられた１対のスライドシャフトを含むことを特徴とする請求項２１に記載のプロジェクタ。
【請求項２３】
前記第１及び第２ガイドレールの各々の端部から前記第２方向に沿ってスリットが延び、前記ドアアセンブリは前記駆動ユニットにより前記第２方向に前記スリットに沿って摺動可能であることを特徴とする請求項２２に記載のプロジェクタ。
【請求項２４】
前記駆動ユニットは前記第２方向に沿って前記ドアアセンブリを移動させるための昇降手段を含み、前記昇降手段は、
前記駆動ユニットのラック部材と対面するように前記ドアアセンブリに設けられるカムブラケットと、前記ラック部材と前記カムブラケットに各々備えられた１対のカム溝を含み、
前記ラック部材は前記ドアアセンブリを前記第１方向に往復移動させるために前記駆動ユニットのピニオンと係合されるように前記ドアアセンブリに設けられ、
前記１対のカム溝は前記ドアアセンブリを前記第２方向に移動させるようにカム従動するように前記ドアアセンブリのスライドシャフトを拘束し、
スライドシャフトの両遠位端が前記１対のカム溝を通り且つ前記スリットに沿って前記第２方向に摺動可能であるように、前記ドアアセンブリの底面に前記スライドシャフト設けられていることを特徴とする請求項２３に記載のプロジェクタ。
【請求項２５】
前記排熱口は熱を上向きに排出するように前記外装ケースの上部に位置することを特徴とする請求項１８に記載のプロジェクタ。
【発明の詳細な説明】
【技術分野】
【０００１】
本発明は電気／電子機器に備えられる小型ドアの開閉装置に係り、さらに詳しくはプロ
ジェクタの放熱用排気ドア開閉装置、特に壁掛け型やスタンド型に使用可能なスリム型ビームプロジェクタの排気ドア開閉装置に関する。
【背景技術】
【０００２】
最近、ＨＤＴＶ放送の活性化及びホームシアター機器の市場拡大などに伴って、消費者のニーズを満足させられるように大型画面の映像情報が得られるビームプロジェクタの普及が急激に伸びつつある傾向である。
【０００３】
このようなビームプロジェクタの一典型として、例えばコンピュータに連結して主にプレゼンテーション用として活用されているビームプロジェクタが既に普及型製品として幅広く販売されている。このようなビームプロジェクタは、例えばＤＭＤ（Ｄｉｇｉｔａｌ  Ｍｉｒｒｏｒ  Ｄｅｖｉｃｅ）や液晶表示素子（ＬＣＤ）などのような映像生成手段によって生成した映像を別の照明光を用いて大型スクリーンに拡大投射された状態にディスプレイするようになる。
【０００４】
従来の通常のビームプロジェクタは、図１に示したように、テーブルなどのような据置き台に支持されるようにセッティングされた状態で使用可能な、いわばデスクトップ（ｄｅｓｋ−ｔｏｐ）方式のモデルが主流をなしている。このようなデスクトップ方式のビームプロジェクタは、示したように光源と光学系(図示せず)及び投射レンズユニット１１などのような一連の部品セットが内蔵されるように設けられる外装キャビネット１０が略六面体の長方形ボックス形態をなすように作製される。
【０００５】
前述したようなビームプロジェクタは、例えば水銀ランプやキセノンランプまたはメタルハライドランプのような高圧放電ランプを光源として採用することによって、高温の駆動発熱を発散するようになる。これによって、排熱口が必要になることで、通常図１に示したように外装キャビネット１０の所々に内外通気が可能な複数のグリル１２が設けられる。
【０００６】
従って、従来のビームプロジェクタは前記グリル１２などのような排熱口を介してユーザの周囲に直接に高温の駆動発熱を放出する排気構造を有する。
【０００７】
前述したような従来の技術の排気構造によれば、ビームプロジェクタの駆動時間が延びることによって周囲室内空間の温度上昇を引き起こすので、周期的な喚起が必要になって使用効率が低下すると共に、ユーザ環境が劣悪な状態に置かれる問題点を抱えている。
前述したような従来のビームプロジェクタが抱えている問題点を改善するため、最近は例えばパネル形のＬＣＤ  ＴＶやＰＤＰ  ＴＶのように、いわば壁掛け型またはスタンド型に使用できるように外装ケース構造がスリム化したビームプロジェクタの開発が積極的に推進されている。
【０００８】
しかし、前述したようなスリム型ビームプロジェクタは外装ケースの内部空間を十分に確保し難くて内蔵部品セットの配置が容易でないため、駆動発熱の効率的な放出のための排気構造の設計及び作製にも煩わしさがある。これにより、スリム型ビームプロジェクタの駆動発熱をさらに効率よく放出できる排気構造に対するメカニズムの開発が強力に求められている。
【発明の開示】
【発明が解決しようとする課題】
【０００９】
本発明は前述したような従来のビームプロジェクタの排気構造が抱えている問題点に鑑みて案出されたもので、特に壁掛け型またはスタンド型に使用可能なスリム型ビームプロジェクタの効率的な排気構造の設計と作製に対するニーズを充足させるために案出されたもので、その目的は優れた放熱効果と性能を保つように改善された排気構造を有するプロジェクタの自動ドア装置を提供するところにある。
【００１０】
本発明の他の目的は、プロジェクタの作動時動作モードに応じて自動的に排気ドアが開閉され使い勝手を良くすることによって、信頼性が向上されたプロジェクタの自動ドア装置を提供するところにある。
【００１１】
本発明のさらに他の目的は、優れた放熱効率と性能及び製品信頼性が向上された壁掛け型またはスタンド型のスリム型ビームプロジェクタの自動ドア装置を提供するところにある。
【課題を解決するための手段】
【００１２】
前述したような目的を達成するためのプロジェクタの自動ドア装置が提供される。前記プロジェクタは熱を外部に排出するための排熱口を有する外装ケースを備える。前記プロジェクタの自動ドア装置は前記排熱口の周囲に配置されるように前記外装ケースに設けられるフレームと、前記排熱口を開閉するように前記フレームの第１方向に沿って往復移動自在な状態に設けられるドアアセンブリと、前記外装ケースに内蔵され、前記第１方向に沿って前記ドアアセンブリを移動させる駆動ユニットを含み、前記駆動ユニットは前記プロジェクタの第１作動モードに応答して前記排熱口を開放するように前記ドアアセンブリを前記第１方向に沿って第１位置から第２位置に移動させ、前記プロジェクタの第２作動モードに応答して前記排熱口を閉鎖するように前記ドアアセンブリを前記第１方向に沿って前記第２位置から前記第１位置に移動させることを特徴とする。
【００１３】
本発明の他の特徴によれば、前記プロジェクタは熱を外部に排出するための排熱口を有する外装ケースと、前記排熱口の周囲に配設されるフレームと、前記排熱口を開閉するように前記フレームの第１方向に沿って往復移動自在な状態に設けられるドアアセンブリと、前記ドアアセンブリを前記第１方向に沿って移動させるように前記外装ケースに内蔵される駆動ユニットを含み、前記駆動ユニットは前記プロジェクタの第１作動モードに応答して前記排熱口を開放するように前記ドアアセンブリを前記第１方向に沿って第１位置から第２位置に移動させ、前記プロジェクタの第２作動モードに応答して前記排熱口を閉鎖するように前記ドアアセンブリを前記第１方向に沿って前記第２位置から前記第１位置に移動させることを特徴とする。
【００１４】
本発明のその他の目的、特徴、様相及び長所らは添付した図面と関連する以下の詳細な説明及び望ましい実施例からさらに明らかになろう。
【発明の効果】
【００１５】
以上述べたように、本発明に係るプロジェクタの自動ドア装置は次のような作用効果を奏する。
【００１６】
第１に、プロジェクタ、特にスリム型ビームプロジェクタの効率的な排気構造の設計作製に対するニーズの充足が可能なので優れた放熱効率と性能を維持できるようになることで、製品信頼性と品質向上の効果が得られる。
【００１７】
第２に、機器作動時動作モードによって自動で排気ドアが開閉される便宜性を確保することができる。
【００１８】
第３に、機器の動作モードによって排気ドアが選択的に開閉されるので、放熱効率の向上と異物の流入の防止などを通じて性能の安定化及び長寿命化が図れる。
【発明を実施するための最良の形態】
【００１９】
以下、添付した図面に基づき本発明の望ましい実施形態をさらに詳述する。
【００２０】
図２は本発明に係る自動ドア装置が適用されたスリム型ビームプロジェクタ(Ｐ)の外観を例示的に示した図であって、外装ケース１００が別に成形作製された前方ケース１１０及び後方ケース１２０との結合によって額縁形態のパネル形の外観構造を有するように形成されることによって、例えばパネル形ＬＣＤ ＴＶやＰＤＰ  ＴＶのように壁掛け型やスタンド型に使用できるようにスリム化した構造を有する。
【００２１】
本発明の特徴的な構成は、前記後方ケース１２０の天井に排熱口１０１を設けてエンジン部の駆動発熱を上方に誘導して排気させるようになり、エンジン部の駆動状態によって連動して前記排熱口１０１を選択的に開閉するための排気ドアアセンブリ３００及びその駆動のための電動開閉装置(図３ないし図７参照)を備えたものである。
【００２２】
一方、前記外装ケース１００の内部空間には映像情報を生成してスクリーンに拡大投射するための光源と光学系(図示せず)、ＤＭＤやＬＣＤのような映像生成手段(図示せず)と、駆動エンジン部(図示せず)及び投射レンズユニット１０２などのような一連の通常のプロジェクタ用部品セットが内蔵されるように設けられるが、その具体的な配置構造などが本発明を特定づけることではない。
【００２３】
図３ないし図５を参照すれば、本発明に係るスリム型ビームプロジェクタの自動ドア装置は、フレーム２００とドアアセンブリ３００及び駆動ユニット４００とを含んで構成される。
【００２４】
前記フレーム２００は前記排熱口１０１の周囲に配置されるように後方ケース１２０の天井の背面に設けられる。そして、前記ドアアセンブリ３００は前記排熱口１０１を開閉するように前記フレーム２００に往復移動可能な状態に設けられる。また、前記駆動ユニット４００は前記ドアアセンブリ３００を往復移動可能に駆動させるように前記後方ケース１２０に設けられる。
【００２５】
本発明の一実施例によれば、前記フレーム２００は前記ドアアセンブリ３００の往復移動を許容するように支持するためのガイドサッシ２１０とガイドブラケット２２０を含む。
【００２６】
前記ガイドサッシ２１０とガイドブラケット２２０には前記ドアアセンブリ３００の摺動運動による往復移動を許容するように案内する第１及び第２スリット状ガイドレールＧ１、Ｇ２がそれぞれ備えられている。
【００２７】
前記ガイドサッシ２１０は図６に抜粋して示したように、前記排熱口１０１と連通される開口部２０１が形成された平板形ボディ２１１及びそのボディ２１１の少なくとも一側端が折り曲げられた側壁２１２を有し、その側壁２１２に前記第１スリット状ガイドレールＧ１が形成される。
【００２８】
ここで、図３及び図６の未説明参照符号Ｓ１及びＳ２は前記ドアアセンブリ３００をなしているドア部材３１０と接触して開閉状態を認識するためのスイッチセンサを示す。
【００２９】
前記スイッチセンサＳ１、Ｓ２は、例えばリミットスイッチなどのような接触式センサまたは光検出器のような非接触式センサなど多様な形態のセンシング手段を用いられることは勿論である。
【００３０】
そして、２１３は前記ガイドサッシ２１０の開口部２０１を横切るように形成されたガイドリブを示す。前記ガイドリブ２１３は後述するドアアセンブリ３００に設けられたスライド機構３２０のガイドローラＲ２が転がり運動が可能なように支持するために設けられたものである。
【００３１】
図４及び図５の参照符号Ｌは前記排熱口１０１がオープンされた状態の場合、異物の流入などを防止するために設けられるルーバ（Ｌｏｕｖｅｒ）を示す。
【００３２】
一方、前記ガイドサッシ２１０は単一構造物で作製したり、図３及び図６にそれぞれ示したように別に分離作製された構造物の結合体で構成可能である。
【００３３】
そして、前記ガイドブラケット２２０は前記後方ケース１２０の天井に並んだ状態に結合される帯状のスティック構造を有するのが望ましい。
【００３４】
従って、前記ガイドサッシ２１０とガイドブラケット２２０はそれぞれ前記第１及び第２スリット状ガイドレールＧ１、Ｇ２が前記ドアアセンブリ３００の移動経路上に互いに並んだ状態に対面して配列されるように前記後方ケース１２０の天井部に設けられる。
【００３５】
本発明の他の実施例として、図面によって例示していないが、前記ガイドサッシ２１０のボディ２１１の他側端に別の側壁を形成し、その他の側壁に前述した第２のスリット状ガイドレールを形成することによって、前記ガイドブラケット２２０が削除代替された構成を有することもできる。
【００３６】
一方、図３ないし図５及び図７を参照すれば、前記ドアアセンブリ３００は前記ガイドサッシ２１０の直線往復移動が可能な状態に設けられるドア部材３１０と、該ドア部材３１０が摺動運動するように前記ガイドサッシ２１０とガイドブラケット２２０に結合させるためのスライド機構３２０を含む。
【００３７】
前記スライド機構３２０は前記第１及び第２スリット状ガイドレールＧ１、Ｇ２にそれぞれ両端部が摺動可能な状態に結合されるように前記ドア部材３１０の底面の上流側と下流側にそれぞれ設けられる１対のスライドシャフト３２１と複数のローラ部材Ｒ１、Ｒ２、Ｒ３を含む。
【００３８】
前記複数のローラ部材Ｒ１、Ｒ２、Ｒ３は前記ガイドサッシ２１０と接触して転がり運動をしながら前記ドア部材３１０の摺動運動が円滑に行われるようにガイドする役割を果たす。
【００３９】
前記駆動ユニット４００は、前記後方ケース１２０に設けられる正逆駆動可能な駆動モータ４１０と、前記ドア部材３１０の一側に長手方向に設けられるラック部材４２０と、前記駆動モータ４１０の出力軸と前記ラック部材４２０との間に動力伝達が可能な状態に連結されるように設けられる動力伝達手段としてギアトレイン４３０及び前記ラック部材４２０と噛み合うピニオン４４０を含んで構成される。
【００４０】
本発明の他の側面によれば、前記駆動ユニット４００はドアアセンブリ３００を昇降運動させるための昇降手段をさらに含んで構成される。
【００４１】
図４ないし図７を参照すれば、前記昇降手段は、前記ラック部材４２０と対面するように前記ドア部材３１０に並んで設けられるカムブラケット４５０と、前記ラック部材４２０と前記カムブラケット４５０の対応する位置にそれぞれ備えられた１対のカム溝４２１(図４参照)、４５１を含む。そして、前記ガイドサッシ２１０とガイドブラケット２２０にそれぞれ備えられた第１及び第２スリット状ガイドレールＧ１、Ｇ２と、前記第１及び第２スリット状ガイドレールＧ１、Ｇ２の先端部に垂直状態に延びて形成された昇降レールＧ３（図６参照)を含んで構成される。
【００４２】
ここで、図７の参照符号Ｂは前記ラック部材４２０と前記カムブラケット４５０の間隔維持など各構成要素間の結合状態の変形防止のために設けられたブリッジブラケットを示す。そして、Ｒ４は水平ガイドローラであって、示されていないが前記フレーム２００に設けられたガイドリブに沿って転がり運動しつつ、前記ドア部材３１０の摺動運動をガイドするように設けられたものである。
【００４３】
前述したような構成を有する昇降手段によれば、前記カム溝４２１、４５１が前記ドア部材３１０に設けられた１対のスライドシャフト３２１をカム従動するように拘束させる作用を果たす。これによって、前記１対のスライドシャフト３２１が前記昇降レールＧ３に沿って垂直方向に移動方向を変更するようになる。これにより、前記ドア部材３１０は開け動作開始段階ではまず一時下降運動に引き続き水平方向に摺動移動するようになる。そして、閉じ動作ではまず水平方向に摺動移動しながら終了段階に至って一時上昇運動して初期位置と姿勢にセッティングされる開閉動作を行うようになる。
【００４４】
本発明の他の実施例として、図面に例示されていないが、前記１対のカム溝４２１、４５１を前記ガイドサッシ２１０の両側に折曲形成された側壁に形成することができる。このような構成では前記カムブラケット４５０が削除された構成を有する。
【００４５】
前記カム溝４２１、４５１は前記ドア部材３１０が摺動移動開始段階と終了段階でそれぞれ所定高さアップダウン（Ｕｐ−Ｄｏｗｎ）するように誘導されるように傾斜構造を含む形状パターンの加工溝に形成することが望ましい。
【００４６】
一方、前記ギアトレイン４３０には摩擦式クラッチギア(図示せず)が介設される。これにより、例えば異物挿入などによって前記ドア部材３１０の強制止め動作や逆に強制移動させる場合においてもクラッチギアの空回転によって部品破損を防止できる安全装置の機能をするようになっている。
【００４７】
以下、前述したような構成を有する本発明に係るスリム型ビームプロジェクタの排気ドア開閉装置の動作状態を詳述する。
【００４８】
まず、ビームプロジェクタのメイン駆動スイッチ(図示せず)がオン(ON)状態に操作されれば、メインコントローラ(図示せず)の制御信号に応じて前記駆動モータ４１０が正方向または逆方向駆動しつつ前記ギアトレイン４３０とピニオン４４０を順次に駆動させる。
【００４９】
従って、前記ピニオン４４０と噛み合っているラック部材４２０の直線移動が開始すると同時に、前記ラック部材４２０に結合されたドア部材３１０が連動し始める。この際、連動初期には一定タイミングの間前記昇降手段、すなわち前記スライドシャフト３２１と前記カム溝４２１、４５１及び昇降ガイドレール（Ｇ３）の相互干渉作用を通じたカム運動によって前記ドア部材３１０が初期セット位置で一定ストローク下降(DOWN)するようになる。前記ドア部材３１０が下降する移動ストロークは前記昇降ガイドレールＧ３の長さによって調整可能である。
【００５０】
次の段階で、前記ドア部材３１０の下降運動が完了すると同時に、前記スライドシャフト３２１が前記ガイドサッシ２１０及びガイドブラケット２２０のガイドレールＧ１、Ｇ２に沿って直線運動可能な位置に移動することによって、前記ドア部材３１０が水平方向に移動するオープン動作を行うようになる。
【００５１】
その後、前記ドア部材３１０のオープン移動過程において下流側スイッチセンサ(Ｓ２)が作動してメインコントローラに信号情報を送り出すことによって、前記駆動モータ４１０の駆動が止まるように制御される。これにより、前記ドア部材３１０は前記排熱口１０１が開口されるようにオープンさせた状態で摺動動作を止めるようになる。
【００５２】
前述したように、前記ドア部材３１０がオープンされた状態でメインコントローラの制御信号に応じてビームプロジェクタの光源点灯とエンジン部の駆動によってスクリーンに映像情報をディスプレイする通常のプロジェクタ動作過程を行うようになる。
【００５３】
一方、エンジン部の駆動がオフ（ＯＦＦ）するように作動される場合は前記ドア部材３１０が前述したオープン動作の逆順過程と作用によって逆方向に水平摺動移動しつつ終了段階に至って一時上昇運動して初期位置と姿勢にセッティングされることによって前記排熱口１０１を閉鎖させるように閉ざされる。
【００５４】
要するに、本発明に係るプロジェクタの自動ドア装置は、プロジェクタの作動時動作モードに応じて排気ドアが排熱口を自動的に開閉する動作を行う。
【００５５】
本発明は図面に示された望ましい実施例を挙げて説明してきたが、これは例示的なものに過ぎず、本発明は前述した実施例に限定されず、本技術の分野における通常の知識を持つ者にとってこれより多様な変形及び均等な他の実施例が可能であろう。
【図面の簡単な説明】
【００５６】
【図１】従来の通常のビームプロジェクタの一典型を概略的に示した外観斜視図である。
【図２】本発明に係る自動ドア装置が採用されたスリム型ビームプロジェクタを概略的に示した外観斜視図である。
【図３】本発明の一実施例によるスリム型ビームプロジェクタの自動ドア装置を抜粋して概略的に示した分離斜視図である。
【図４】図３に示したスリム型ビームプロジェクタの自動ドア装置の結合状態を概略的に示した要部斜視図である。
【図５】図４のＶ-Ｖ線に沿って切除して示した概略的な断面図である。
【図６】図３ないし図５においてフレームを抜粋して概略的に示した斜視図である。
【図７】図３ないし図５においてドアアセンブリを抜粋して概略的に示した背面斜視図である。
【図１】
2008542813.tif 000003
【図２】
2008542813.tif 000004
【図３】
2008542813.tif 000005
【図４】
2008542813.tif 000006
【図５】
2008542813.tif 000007
【図６】
2008542813.tif 000008
【図７】
2008542813.tif 000009
【国際調査報告】
2008542813.tif 000010
2008542813.tif 000011